(57)【要約】【課題】本発明は、スペースを節約することができる携帯型パーソナルコンピュータを提供する。【解決手段】本発明に係る携帯型パーソナルコンピュータは、第一表示ユニット、第二表示ユニット、接続装置及び制御装置を備え、前記第一表示ユニットと前記第二表示ユニットは、前記接続装置によって回転可能に枢着し、前記第一表示ユニットと前記第二表示ユニットの中の少なくとも一つは、ユーザー操作をセンシングすることに用いられ、且つ前記ユーザー操作に基づいて対応する操作信号を生成し、前記制御装置は、前記操作信号を受信することに用いられ、且つ前記第一表示ユニット及び/又は前記第二表示ユニットを駆動して、前記操作信号を表示する。【選択図】図２
2009123221.tif 000002
【特許請求の範囲】
【請求項１】
第一表示ユニットを備える携帯型パーソナルコンピュータであって、
第二表示ユニット、接続装置及び制御装置をさらに備え、前記第一表示ユニットと前記第二表示ユニットは、前記接続装置によって回転可能に枢着し、前記第一表示ユニットと前記第二表示ユニットの中の少なくとも一つは、ユーザー操作をセンシングすることに用いられ、且つ前記ユーザー操作に基づいて対応する操作信号を生成し、前記制御装置は、前記操作信号を受信することに用いられ、且つ前記第一表示ユニット及び/又は前記第二表示ユニットを駆動して、前記操作信号を表示することを特徴とする携帯型パーソナルコンピュータ。
【請求項２】
ユーザー操作をセンシングすることに用いられる表示ユニットは、ユーザー操作をセンシングすることに用いられ、且つ前記ユーザー操作に基づいて前記操作信号を生成するセンサーを備えることを特徴とする請求項１に記載の携帯型パーソナルコンピュータ。
【請求項３】
前記制御装置は、前記ユーザー操作をセンシングすることに用いられる表示ユニットのセンサーに接続されており、前記センサーを制御して前記ユーザー操作を受信するセンサー・コントローラーを備えることを特徴とする請求項２に記載の携帯型パーソナルコンピュータ。  
【請求項４】
前記第一表示ユニットと前記第二表示ユニットは、別々に前記操作信号を表示することに用いられる表示パネル及び前記表示パネルにバックライトを提供することに用いられるバックライトパネルを備えることを特徴とする請求項１に記載の携帯型パーソナルコンピュータ。
【請求項５】
前記制御装置は、別々に前記第一表示ユニットと前記第二表示ユニットの表示パネル及びバックライトパネルに接続されており、前記表示パネル及び前記バックライトパネルに駆動信号を送信することに用いられる表示コントローラー及びバックライト・コントローラーを備えることを特徴とする請求項４に記載の携帯型パーソナルコンピュータ。
【請求項６】
前記制御装置は、前記パーソナルコンピュータの表示内容信号及び/又はスクリーン制御信号を受信することに用いられるインタフェース・コントローラーを備えることを特徴とする請求項１に記載の携帯型パーソナルコンピュータ。
【発明の詳細な説明】
【技術分野】
【０００１】
本発明は、パーソナルコンピュータに関するものであって、特に携帯型パーソナルコンピュータに関するものである。
【背景技術】
【０００２】
消費者は、ノートブック型コンピュータ、ＰＤＡ（Ｐｅｒｓｏｎａｌ  Ｄｉｇｉｔａｌ  Ａｓｓｉｓｔａｎｔ）のような、持ち運び使用が容易な軽量装置を要求している。ＰＤＡは、ノートブック型コンピュータより薄型化及び軽量化であるため、持ち運び使用がさらに容易であるが、ただ簡単な機能を有する。ノートブック型コンピュータは、ＰＤＡより高度な機能を有するが、体積が大きいため、携帯し難い。
【０００３】
ＵＭＰＣ（Ｕｌｔｒａ  Ｍｏｂｉｌｅ  Ｐｅｒｓｏｎａｌ  Ｃｏｍｐｕｔｅｒ）のスクリーンのサイズは、７インチぐらいであるため、携帯し易く、採用するハードウェアもノートブック型コンピュータと同じであるため、ノートブック型コンピュータのような高度な機能を実現することができる。しかし、従来のＵＭＰＣにおいて、キーボードが体積の大部分を占めるため、ＵＭＰＣの重量及び体積が大きく、薄型化及び軽量化の趨勢に適応しない。
【発明の開示】
【発明が解決しようとする課題】
【０００４】
本発明の目的は、上述のような課題を解決し、スペースを節約することができる携帯型パーソナルコンピュータを提供することである。
【課題を解決するための手段】
【０００５】
前記目的を達成するため、本発明に係る携帯型パーソナルコンピュータは、第一表示ユニット、第二表示ユニット、接続装置及び制御装置を備え、前記第一表示ユニットと前記第二表示ユニットは、前記接続装置によって回転可能に枢着し、前記第一表示ユニットと前記第二表示ユニットの中の少なくとも一つは、ユーザー操作をセンシングすることに用いられ、且つ前記ユーザー操作に基づいて対応する操作信号を生成し、前記制御装置は、前記操作信号を受信することに用いられ、且つ前記第一表示ユニット及び/又は前記第二表示ユニットを駆動して、前記操作信号を表示する。
【発明の効果】
【０００６】
本発明に係る携帯型パーソナルコンピュータの少なくとも一つの表示ユニットは、ユーザーの操作を受けて且つ対応する操作信号を生成する機能を有し、可視面積を増大するとともに、従来の実体キーボードを入力設備とする必要がなく、スペースを節約し、ノートブック型コンピュータの薄型化及び軽量化の趨勢に適応する。
【発明を実施するための最良の形態】
【０００７】
以下、添付図面を参照しながら本発明を詳しく説明する。
【０００８】
図１に示すように、本発明に係る携帯型パーソナルコンピュータは、第一表示ユニット１２、第二表示ユニット１４及び接続装置１６を備える。第一表示ユニット１２と第二表示ユニット１４との間は、接続装置１６によって回転可能に枢着する。
【０００９】
第一表示ユニット１２と第二表示ユニット１４は、全画面表示機能を有する。マルチメディアを放送する場合、第一表示ユニット１２と第二表示ユニット１４を連合してビデオ内容を表示することに用いられるため、ユーザーは、大きい観覧寸法を獲得することができる。
【００１０】
本発明の一実施形態において、第一表示ユニット１２と第二表示ユニット１４の中の一つは、ユーザーの操作を受ける機能を有し、且つユーザーの操作を対応する操作信号に変換する。例えば、ユーザーがファイルを処理するか、又はデータを記録する時、第一表示ユニット１２は、ユーザーが処理しているファイル、操作システム、データ処理システムなどを表示することに用いられ、第二表示ユニット１４は、ユーザーの操作を受けて、キーボードインターフェースを表示することに用いられ、ユーザーが第二表示ユニット１４に表示されるキーボードインターフェースのボタンを押すと、第二表示ユニット１４が対応する操作信号を生成する。第二表示ユニット１４は、異なる環境によって異なる入力インターフェースを表示することができ、例えば、異なる言語領域、異なる入力法によって異なるキーボード配置を表示するか、又は手書き板などの入力インターフェースを表示して、ユーザーが手書き入力を行うことにする。
【００１１】
本発明の他の実施形態において、第一表示ユニット１２と第二表示ユニット１４は、皆ユーザーの操作を受ける機能を有し、且つユーザーの操作に対応する操作信号を生成する。例えば、第一表示ユニット１２は、図形化インターフェースを表示することに用いられ、ユーザーが第一表示ユニット１２に表示される図形を触れると、対応するタッチ信号を生成し、第二表示ユニット１４は、キーボードや手書き板などの入力設備のインターフェースを表示することに用いられ、ユーザーが第二表示ユニット１４に表示されるキーボードインターフェースのボタンを押すと、対応する入力信号を生成する。
【００１２】
ユーザーの操作を受ける機能を有する第一表示ユニット１２及び第二表示ユニット１４は、いろいろなタッチパネルであることができ、例えば、抵抗膜式、静電容量式、光学式、超音波式などであって、電子紙（Ｅｌｅｃｔｒｏｎｉｃ  Ｐａｐｅｒ  Ｄｉｓｐｌａｙ）などのフレキシブル表示装置でもよい。
【００１３】
図２に示すように、ユーザーの操作を受ける機能を有する第一表示ユニット１２及び第二表示ユニット１４は、センサー２０２、表示パネル２０４及びバックライトパネル２０６を備える。携帯型パーソナルコンピュータは、第一表示ユニット１２及び第二表示ユニット１４を制御することに用いられる制御装置３０をさらに備える。制御装置３０は、バックライト・コントローラー３０２、表示コントローラー３０４、センサー・コントローラー３０６及びインタフェース・コントローラー３０８を備える。
【００１４】
センサー２０２は、センサー・コントローラー３０６に接続されてユーザーの操作をセンシングすることに用いられ、且つ対応する操作信号を生成してセンサー・コントローラー３０６に送信する。センサー・コントローラー３０６は、更にセンサー２０２の作動状態を制御したり、センサー２０２の感度を調節したりする。
【００１５】
表示パネル２０４は、表示コントローラー３０４に接続されており、表示コントローラー３０４からの駆動信号に基づいて、ユーザーに向かってビデオ、ファイル、操作システムなどの内容を表示する。バックライトパネル２０６は、バックライト・コントローラー３０２に接続されており、バックライト・コントローラー３０２からの駆動信号に基づいて、表示パネル２０４にバックライトを提供する。
【００１６】
インタフェース・コントローラー３０８は、パーソナルコンピュータ内の表示信号源、コントローラーに接続されており、パーソナルコンピュータ内の各信号源（図示せず）から送信し且つ表示ユニットに表示しようとする表示内容信号及び表示ユニットを制御するスクリーン制御信号を受信することに用いられ、且つこれらの信号をバックライト・コントローラー３０２、表示コントローラー３０４及びセンサー・コントローラー３０６に転送する。バックライト・コントローラー３０２と表示コントローラー３０４は、対応する駆動信号を生成してバックライトパネル２０６、表示パネル２０４に送信する。インタフェース・コントローラー３０８は、センサー２０２が生成した操作信号をパーソナルコンピュータの他の処理装置に送信することも用いられる。
【００１７】
図３は、図１に示す携帯型パーソナルコンピュータの一種の使用状態を示す図である。第一表示ユニット１２は、マルチメディア内容、ファイル内容、操作インターフェースなどを表示することに用いられ、第二表示ユニット１４は、ユーザーが手書きすることができる筆跡ウィンドウ４０２を表示することに用いられ、従ってユーザーが筆跡ウィンドウ４０２に手書きする操作は、センサー２０２にセンシングされて対応する操作信号を生成する。前記操作信号は、パーソナルコンピュータのプロセッサー（図示せず）によって計算してから、ユーザーが行う操作及び入力内容を識別することができる。
【００１８】
図４は、図１に示す携帯型パーソナルコンピュータの他の使用状態を示す図である。第一表示ユニット１２は、パーソナルコンピュータの操作結果を表示することに用いられ、例えば、マルチメディア内容、ファイル内容、操作インターフェースなどである。第二表示ユニット１４は、キーボードインターフェース４０６を表示することに用いられ、ユーザーによるキーボードインターフェース４０６でのタッチ操作によって、センサー２０２にセンシングされて対応する操作信号を生成する。前記操作信号は、パーソナルコンピュータのプロセッサー（図示せず）によって計算してから、ユーザーがキーボードインターフェース４０６で入力した内容を識別することができる。
【００１９】
他の実施形態において、携帯型パーソナルコンピュータの二つの表示ユニット１２、１４は、皆ユーザーの入力を受ける機能を有し、外接表示装置を携帯型パーソナルコンピュータに接続してから、パーソナルコンピュータの二つの表示ユニットが連合して一つのキーボードインターフェースを表示し、パーソナルコンピュータの操作結果、ユーザーインターフェースなどの内容は、外接表示装置に表示される。ユーザーが二つの表示ユニットで行うキーボードタッチ操作がセンシングされてから、識別されて且つ対応する入力内容に変換される。
【００２０】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００２１】
【図１】本発明の実施形態に係る携帯型パーソナルコンピュータの構造を示す立体図である。
【図２】図１に示す携帯型パーソナルコンピュータの制御装置の構造を示す図である。
【図３】図１に示す携帯型パーソナルコンピュータの一種の使用状態を示す図である。
【図４】図１に示す携帯型パーソナルコンピュータの他の一種の使用状態を示す図である。
【符号の説明】
【００２２】
１２  第一表示ユニット
１４  第二表示ユニット
１６  接続装置
３０  制御装置
２０２  センサー
２０４  表示パネル
２０６  バックライトパネル
３０２  バックライト・コントローラー
３０４  表示コントローラー
３０６  センサー・コントローラー
３０８  インタフェース・コントローラー
４０２  筆跡ウィンドウ
４０６  キーボードインターフェース
【図１】
2009123221.tif 000003
【図２】
2009123221.tif 000004
【図３】
2009123221.tif 000005
【図４】
2009123221.tif 000006